(57)【要約】      （修正有）【課題】環境温度変化に基づき電子機器のオンオフを制御する温度制御式電源装置を提供する。【解決手段】温度制御式電源装置は、ケース、ケースに固定されて交流電源入力に用いられる複数の導電端子とケース内に取付けられた温度制御回路を包含し、温度制御回路はこれら導電端子に電気的に接続された電源回路ユニット、スイッチ回路ユニット、及び制御ユニットを包含し、スイッチ回路ユニットはリレーとリレー動作を制御する駆動回路を包含し、制御ユニットは低温制御を実行するマイクロコントローラ、電源回路ユニットの出力端と接続されたマイクロコントローラ電源ユニット、マイクロコントローラの各端子と接続された温度検出ユニット、定温設定スイッチ、定温表示ユニットを包含し、マイクロコントローラの制御出力端は駆動回路の入力端と接続される。【選択図】図２
0003162069.tif 000002
【実用新案登録請求の範囲】
【請求項１】
温度制御式電源装置において、
ケースと、
該ケースに固定されて交流電源を入力するのに用いられる複数の導電端子と、
該ケース内に取付けられた温度制御回路であって、
入力端がこれら導電端子に電気的に接続された電源回路ユニットと、
該電源回路ユニットの出力端と電気的に接続され、リレーと該リレーの動作を制御する駆動回路を包含するスイッチ回路ユニットと、
制御回路であって、定温制御を実行するマイクロコントローラ、マイクロコントローラ電源ユニット、温度検出ユニット、定温表示ユニット及び定温設定スイッチを包含し、該マイクロコントローラの制御出力端が該駆動回路の入力端に電気的に接続され、該マイクロコントローラの信号入力端は該温度検出ユニットの出力端と電気的に接続され、該マイクロコントローラ電源ユニットは該電源回路ユニットの出力端と電気的に接続され、該定温表示ユニットは該マイクロコントローラの表示出力端と電気的に接続され、該定温設定スイッチは該マイクロコントローラと電気的に接続された、上記制御回路と、
を包含する上記温度制御回路と、
を包含したことを特徴とする、温度制御式電源装置。
【請求項２】
請求項１記載の温度制御式電源装置において、該ケースは通用のプラグケース、ソケットケース、コネクタケース或いは電源分配器ケースのいずれかとされたことを特徴とする、温度制御式電源装置。
【請求項３】
請求項１記載の温度制御式電源装置において、該電源回路ユニットは、降圧器、整流器、電圧安定器、及びろ波器を包含し、該電圧安定器は第１トランジスタ及びフィードバック回路を包含し、該フィードバック回路は比較器と複数の抵抗を包含し、該第１トランジスタのコレクタとエミッタは該整流器の出力端の間に電気的に接続され、該第１トランジスタのベースは該比較器の出力端と電気的に接続されたことを特徴とする、温度制御式電源装置。
【請求項４】
請求項１記載の温度制御式電源装置において、該ケースに複数の孔が開設され、該定温表示ユニットと該定温設定スイッチはそれぞれ対応する該孔に固定され、該マイクロコントローラ内に複数の設定温度値が設定され、該マイクロコントローラの表示出力端は該マイクロコントローラ内の設定温度値に対応し、該定温表示ユニットは複数の発光ダイオードとされ、各該発光ダイオードはそれぞれ該マイクロコントローラの対応する表示出力端に電気的に接続されたことを特徴とする、温度制御式電源装置。
【請求項５】
請求項１記載の温度制御式電源装置において、該駆動回路は第２トランジスタを包含し、第２トランジスタのコレクタとエミッタは該リレーの入力端回路に接続され、該第２トランジスタのベースは該駆動回路の入力端に対応することを特徴とする、温度制御式電源装置。
【請求項６】
請求項１記載の温度制御式電源装置において、該マイクロコントローラ電源ユニットは第３トランジスタ、第１抵抗、第２抵抗、第３抵抗、コンデンサ、及びツェナダイオードを包含し、該第３トランジスタのコレクタと第３抵抗の一端が並列に電源回路ユニットのプラス出力端に接続され、該第３トランジスタのエミッタがマイクロコントローラ電源ユニットのプラス出力端に対応し、該第１抵抗は該第２抵抗に直列に接続され、該第１抵抗の一端は該第３トランジスタのエミッタに電気的に接続され、該第２抵抗の一端及び該ツェナダイオードのアノードは並列に接地し、該ツェナダイオードのカソード及び該第３抵抗の別端は該第３トランジスタのベースに並列に接続され、該ツェナダイオードの参考電極は該第１抵抗と該第２抵抗の間に接続されることを特徴とする、温度制御式電源装置。
【請求項７】
請求項１記載の温度制御式電源装置において、該温度検出ユニットはサーモスタットと分圧抵抗を包含し、該サーモスタットの一端は該分圧抵抗の一端に電気的に接続され、該サーモスタットの別端は該マイクロコントローラ電源ユニットのプラス出力端に電気的に接続され、該分圧抵抗の別端は接地し、上述のマイクロコントローラの信号入力端は該サーモスタットと該分圧抵抗の間に電気的に接続されたことを特徴とする、温度制御式電源装置。
【考案の詳細な説明】
【技術分野】
【０００１】
本考案は一種の電源装置に係り、特に一種の温度制御式電源装置に関する。
【背景技術】
【０００２】
現実の生活中、ある電子電気機器例えば扇風機や暖房機などは使用時の環境温度に通常一定の制限がある。電源装置は広くプラグ、コネクタ、ソケット或いは分電器中に応用され得る。周知の電源装置は一般に、絶縁ケースと導電片で構成され、そのうち、一部は制御スイッチを有し、使用時に導電片を電源と接続させ、電源切断が必要な時は、導電片を抜き取るか或いは制御スイッチを切断する。
【０００３】
しかし、上述の電源装置には温度制御機能がなく、使用時には、手動で電子電気機器のオンオフ制御をしなければならず、人が離れたり眠っている状況では、操作が明かに不便である。
【考案の概要】
【考案が解決しようとする課題】
【０００４】
本考案の目的は上述の周知の技術の不足に対して、環境温度変化に基づき電子電気機器のオンオフを制御できる温度制御式電源装置を提供することにある。
【課題を解決するための手段】
【０００５】
上述の目的を実現するため、本考案の温度制御式電源装置は、ケースと、複数の導電端子と、温度制御回路を包含する。これら複数の導電端子は該ケースに固定され、これら複数の導電端子は交流電源を入力するのに用いられる。該温度制御回路は該ケース内に取付けられ、該温度制御回路は、電源回路ユニット、スイッチ回路ユニット、及び制御ユニットを包含する。該電源回路ユニットの入力端はこれら導電端子と電気的に接続され、該スイッチ回路ユニットは該電源回路ユニットの出力端と電気的に接続され、該スイッチ回路ユニットはリレーと該リレーの動作を制御する駆動回路を包含する。該制御ユニットは定温制御を実行するマイクロコントローラ、マイクロコントローラ電源ユニット、温度検出ユニット、定温表示ユニット及び定温設定スイッチを包含する。該マイクロコントローラの制御出力端は該駆動回路の入力端と電気的に接続され、該マイクロコントローラの信号入力端は該温度検出ユニットの出力端と電気的に接続され、該マイクロコントローラ電源ユニットは該電源回路ユニットの出力端と電気的に接続され、該定温表示ユニットは該マイクロコントローラの表示出力端と電気的に接続され、該定温設定スイッチは該マイクロコントローラと電気的に接続される。
【考案の効果】
【０００６】
本考案の温度制御式電源装置は、マイクロコントローラが温度検出ユニットからの温度変化の信号を受け、並びに演算後に出力信号を駆動回路に提供してリレーを制御し、これにより、交流回路のオンオフを制御して、電気機器のオンオフを制御する。
【図面の簡単な説明】
【０００７】
【図１】本考案の温度制御式電源装置の実施例の構造表示図である。
【図２】図１の温度制御式電源装置の温度制御回路の原理図である。
【図３】図２の温度制御回路の電源回路ユニット及びスイッチ回路ユニットの原理図である。
【図４】図２の温度制御回路の制御ユニットの原理図である。
【考案を実施するための形態】
【０００８】
本考案の技術内容、構造特徴、その達成する目的及び作用効果について、以下に実施例を挙げ並びに図面と組み合わせて詳細に説明する。
【０００９】
図１及び図２を参照されたい。本考案の温度制御式電源装置１００は、ケース１と、複数の導電端子２と、温度制御回路３を包含する。ケース１は通用のプラグケースとされ、該ケース１には複数の孔が設けられている。複数の導電端子２は該ケース１に固定され、これら複数の導電端子は交流電源を入力するのに用いられる。該温度制御回路３は該ケース１内に取付けられる。
【００１０】
図２を参照されたい。該温度制御回路３は、電源回路ユニット１０、スイッチ回路ユニット２０、及び制御ユニット３０を包含する。
【００１１】
図２及び図３を参照されたい。該電源回路ユニット１０の入力端はこれら導電端子２と電気的に接続され、該電源回路ユニット１０は、降圧器１１、整流器１２、電圧安定器１３、及びろ波器１４を包含する。電圧安定器１３は第１トランジスタＱ１とフィードバック回路１３１を包含し、該フィードバック回路１３１は比較器Ｕ１と複数の抵抗Ｒ９、Ｒ１０、Ｒ１１を包含する。抵抗Ｒ９の一端は抵抗Ｒ１０の一端に接続され、抵抗Ｒ９の別端は電源回路ユニット１０のプラス出力端ＶＣＣに接続され、抵抗Ｒ１０の別端は接地し、比較器Ｕ１の同相入力端は抵抗Ｒ９と抵抗Ｒ１０の間に接続され、比較器Ｕ１の逆相入力端は標準電圧に接続される。第１トランジスタＱ１のコレクタとエミッタは整流器１２のプラス、マイナス出力端の間に電気的に接続され且つ整流器１２のマイナス出力端は接地し、第１トランジスタＱ１のベースは比較器Ｕ１の出力端と電気的に接続される。
【００１２】
電源回路ユニット１０のプラス出力端ＶＣＣが設定値より高い時、比較器Ｕ１は信号を第１トランジスタＱ１に伝送し、第１トランジスタＱ１は閉じた状態を呈し、このとき、整流器１２のプラス出力端は接地し、電源回路ユニット１０は電源出力を停止する。電源回路ユニット１０のプラス出力端ＶＣＣが設定値より低い時、比較器Ｕ１は別の信号を第１トランジスタＱ１に伝送し、第１トランジスタＱ１は開いた状態となり、この時、整流器１２の出力電圧は正常に出力される。
【００１３】
図２と図３を参照されたい。上述のスイッチ回路ユニット２０は電源回路ユニット１０の出力端と電気的に接続される。該スイッチ回路ユニット２０はリレー２１と該リレー２１の動作を制御する駆動回路２２を包含する。該リレー２１は駆動回路２２の出力端と接続されて、被制御交流回路のオンオフを制御するのに用いられる。駆動回路２２は第２トランジスタＱ２を包含する。該第２トランジスタＱ２のコレクタとエミッタはリレー２１の入力端回路に接続され、第２トランジスタＱ２のベースは駆動回路２２の入力端に対応し、第２トランジスタＱ２は制御ユニット３０の伝送する信号を受けてオンオフ動作を行ない、リレー２１の動作を駆動し、これにより被制御交流回路のオンオフを制御して電子電気機器のオンオフを制御する。
【００１４】
図１、図２及び図４を参照されたい。上述の制御ユニット３０は、マイクロコントローラ３１、マイクロコントローラ電源ユニット３２、定温表示ユニット３３、定温設定スイッチ３４、及び温度検出ユニット３５を包含する。マイクロコントローラ３１は電子電気機器設備のオンオフを定温制御し、マイクロコントローラ３１内に複数の特定温度値の設定値が設けられ、マイクロコントローラ３１の表示出力端は該マイクロコントローラ３１内の設定温度値にそれぞれ対応する。マイクロコントローラ３１の制御出力端は駆動回路２２の入力端と電気的に接続される。
【００１５】
マイクロコントローラ電源ユニット３２は電源回路ユニット１０の出力端と電気的に接続され、上述の標準電圧はマイクロコントローラ電源ユニット３２の出力電圧とされ、該マイクロコントローラ電源ユニット３２は第３トランジスタＱ３、第１抵抗Ｒ７、第２抵抗Ｒ８、第３抵抗Ｒ６、コンデンサＣ３、及びツェナダイオードＵ２を包含する。これら電子素子が構成する電圧安定化ろ波回路は電源回路ユニット１０の出力電圧に対して、ろ波を行ない及びマイクロコントローラ３１の動作に必要な電圧を提供し、第３トランジスタＱ３のコレクタと第３抵抗Ｒ６の一端が並列に電源回路ユニット１０のプラス出力端ＶＣＣに接続され、第３トランジスタＱ３のエミッタがマイクロコントローラ電源ユニット３２のプラス出力端に対応し、第１抵抗Ｒ７は第２抵抗Ｒ８に直列に接続され、第１抵抗Ｒ７の一端は第３トランジスタＱ３のエミッタに電気的に接続され、第２抵抗Ｒ８の一端及びツェナダイオードＵ２のアノードＡは並列に接地し、ツェナダイオードＵ２のカソードＫ及び第３抵抗Ｒ６の別端は第３トランジスタＱ３のベースに並列に接続され、ツェナダイオードＵ２の参考電極Ｒは第１抵抗Ｒ７と第２抵抗Ｒ８の間に接続される。
【００１６】
定温表示ユニット３３はマイクロコントローラ３１の表示出力端に電気的に接続され並びにケース１の対応する孔内に固定され、該定温表示ユニット３３は複数の発光ダイオードとされ、各発光ダイオードはそれぞれマイクロコントローラ３１の対応する表示出力端に電気的に接続される。
【００１７】
定温設定スイッチ３４は、ケース１の対応する孔内に固定され、該定温設定スイッチ３４はマイクロコントローラ３１の入力端と電気的に接続され、対応する定温表示ユニット３３を制御し、標準温度を反映する信号Ｎ１を導入するのに用いられる。
【００１８】
温度検出ユニット３５はサーモスタットＲＴと分圧抵抗Ｒ１３を包含し、サーモスタットＲＴの一端は分圧抵抗Ｒ１３の一端に電気的に接続され、サーモスタットＲＴの別端はマイクロコントローラ電源ユニット３２のプラス出力端に電気的に接続され、分圧抵抗Ｒ１３の別端は接地し、上述のマイクロコントローラ３１の信号入力端は該サーモスタットＲＴと分圧抵抗Ｒ１３の間に電気的に接続され、温度変化を反映する信号Ｎ２を導入するのに用いられる。
【００１９】
図１、２、３及び図４を参照されたい。本考案の温度制御回路３は交流電源を導入し、マイクロコントローラ３１は定温表示ユニット３３に信号を提供して発光ダイオードを循環発光させる。このとき、定温設定スイッチ３４は一つの設定温度値を選択すると、マイクロコントローラ３１は信号をこれら発光ダイオードにと駆動回路２２に送り、該設定温度値に対応する発光ダイオードを続けて発光させ、その他の発光ダイオードは発光停止させる。駆動回路２２の第２トランジスタＱ２部分は閉じた状態となり、リレー２１を駆動して吸着させ、被制御交流回路を導通させ、電子電気機器をオンする。同時に温度検出ユニット３５のサーモスタットＲＴが環境温度に対して検出を実行し、環境温度が上述の定温設定スイッチ３４の選定した設定温度値より高いとき、マイクロコントローラ３１は信号Ｎ１とＮ２を比較演算した後に別の信号を駆動回路２２に送り、第２トランジスタＱ２を切断状態とし、リレー２１を駆動して釈放し、被制御交流回路を切断し、電子電気機器をオフとする。
【００２０】
総合すると、本考案の温度制御式電源装置１００はマイクロコントローラ３１が温度検出ユニット３５の温度変化の信号を受けて、演算して駆動回路２２に信号を出力してリレー２１を制御し、これにより被制御交流回路のオンオフを制御して電子電気機器のオンオフを制御する。
【００２１】
本考案は上述の具体的実施方式に限定されるわけではなく、当業者であればこれに基づき多くの変更をなすことが可能で、例えば、ケース１を通用のソケットケース、コネクタケース或いは電源分配器のケースのいずれかとすることができ、これらの変更はいずれも本考案の権利請求の範囲内に属する。
【符号の説明】
【００２２】
１００  温度制御式電源装置
１  ケース              ２  導電端子
３  温度制御回路        １０  電源回路ユニット
１１  降圧器            １２  整流器
１３  電圧安定器        １３１  フィードバック回路
１４  ろ波器            ２０  スイッチ回路ユニット
２１  リレー            ２２  駆動回路
３０  制御ユニット      ３１  マイクロコントローラ
３２  マイクロコントローラ電源ユニット        ３３  定温表示ユニット
３４  定温設定スイッチ      ３５  温度検出ユニット
Ｑ１  第１トランジスタ      Ｑ２  第２トランジスタ
Ｑ３  第３トランジスタ      Ｕ１  比較器
Ｒ７  第１抵抗              Ｒ８  第２抵抗
Ｒ６  第３抵抗              Ｃ３  コンデンサ
Ｕ２  ツェナダイオード      ＲＴ  サーモスタット
Ｒ３  分圧抵抗
Ｒ９、Ｒ１０、Ｒ１１  抵抗
【図１】
0003162069.tif 000003
【図２】
0003162069.tif 000004
【図３】
0003162069.tif 000005
【図４】
0003162069.tif 000006